(57)【要約】【課題】本発明は、キャッシング機能を有するカードを利用した不定期の支払いや日払い給与などの支払い管理システムに関する。【解決手段】この支払い管理システムは、識別コードを記録したカード所持者の受給額を計算し、前記カードにキャッシング用の与信機能を持たせるカード会社に前記受給額と識別コードのデータとを送信し、受信された受給額のデータは、前記識別コードに対応するカードのキャッシング用の与信枠として新規に設定され、または既設の与信枠に加算されて与信枠を拡大して、オンライン接続されたＡＴＭなどの自動現金支払機で前記カードを用いて引き出し可能となり、前記受給額のデータは集計されてカード会社から給付者への貸付額データとして処理されることを特徴とする。【選択図】  図１
2005122666.tif 000002
【特許請求の範囲】
【請求項１】
識別コードを記録したカード所持者の受給額を計算し、前記カードにキャッシング用の与信機能を持たせるカード会社に前記受給額と識別コードのデータとを送信し、
受信された受給額のデータは、前記識別コードに対応するカードのキャッシング用の与信枠として新規に設定され、または既設の与信枠に加算されて与信枠を拡大して、オンライン接続されたＡＴＭなどの自動現金支払機で前記カードを用いて引き出し可能となり、
前記受給額のデータは集計されてカード会社から給付者への貸付額データとして処理されることを特徴とする支払い管理システム。
【請求項２】
識別コードを記録したカード所持者の出退勤時刻から１日の勤務時間を算出すると共に、前記カード所持者の単位賃金に基づいて１日分の日払い給与額を計算し、前記カードにキャッシング用の与信機能を持たせるカード会社に前記日払い給与額と識別コードのデータとを送信し、
受信された日払い給与額のデータは、前記識別コードに対応するカードのキャッシング用の与信枠として新規に設定され、または既設の与信枠に加算されて与信枠を拡大して、オンライン接続されたＡＴＭなどの自動現金支払機で前記カードを用いて引き出し可能となり、
前記給与支払額のデータは集計されてカード会社から給付者への貸付額データとして処理されることを特徴とする日払い給与の支払い管理システム。
【請求項３】
識別コードを記録したカードと、給付者側に備えられて前記カードにより給付額の管理を行う給付管理装置と、該給付管理装置と接続されて前記カードにキャッシング用の与信枠を与えてオンライン接続されたＡＴＭなどの自動現金支払機で引き出し可能とするカード会社のカード管理装置とからなっており、
前記給付管理装置が、カード認証部と、カード所持者の給付額を計算する給付計算部と、計算された給付額のデータと前記カードの識別コードとをカード管理装置に送信する送信手段とを備えており、
カード管理装置が、受信した給付額のデータと識別コードを基に、該識別コードに対応するカードに給付額のデータに相当する金額のキャッシング用与信枠を設定または加算により拡大して、カード所持者が給付額をＡＴＭなどの自動現金支払機で引き出し可能とし、
前記給付額のデータは集計されてカード会社から給付者への貸付額データとして処理されることを特徴とする支払い管理システム。
【請求項４】
識別コードを記録したカードと、事業所側に備えられて前記カードにより出退勤の管理を行う勤怠管理装置と、該勤怠管理装置と接続されて前記カードにキャッシング用の与信枠を与えてオンライン接続されたＡＴＭなどの自動現金支払機で引き出し可能とするカード会社のカード管理装置とからなっており、
前記勤怠管理装置が、カード認証部と、カード所持者の出退勤時刻からカード所持者の単位賃金に基づいて１日分の給与支払額を計算する給与計算部と、計算された給与支払額のデータと前記カードの識別コードとをカード管理装置に送信する送信手段とを備えており、
カード管理装置が、受信した給与支払額のデータと識別コードを基に、該識別コードに対応するカードに給与支払額のデータに相当する金額のキャッシング用与信枠を設定または加算により拡大して、カード所持者が給与支払額をＡＴＭなどの自動現金支払機で引き出し可能とし、
前記給与支払額のデータは集計されてカード会社から給付者への貸付額データとして処理されることを特徴とする日払い給与の支払いシステム。
【発明の詳細な説明】
【技術分野】
【０００１】
本発明は、キャッシング機能を有するカードを利用した短期または不定期に発生する支払いや日払い給与などの支払い管理システムに関する。
【背景技術】
【０００２】
日払い契約の従業員に、１日毎に現金で給与を支払うためには、事業主（企業）は常に現金を準備する必要があると共に支払い事務が必要となる煩わしさがあり、多数の日払い従業員が従事する場合には、キャッシュフローにマイナスの影響を与える虞れがあった。
そこで、例えば、特開２００３−１５７３４４号の勤怠管理装置では、電子マネー機能を備えたＩＣカードに従業員証機能等のＩＤ機能を持たせたカードを用いて、出退勤の管理とともに給与の日払いを電子マネーによって行なえるようにした構成が開示されている。
しかし、この種のＩＣカードを用いて現金を引き出すには専用の支払機を利用する必要があり、設置場所が限られると共に、終業時間後にも使用することは困難であった。
また、この場合も、事業主は、日払い給与分の額を日々清算する必要があった。
一方、信販系会社の発行するキャッシング機能を有するカードでは、各地に多数の現金自動支払機（ＡＴＭ）が設置されており、終業時間後も比較的自由に現金化することができるが、上記カードは与信枠を設定する必要があり、誰でも自由に使用することはできなかった。
上記問題は、日払い給与の支払いや、１日以上の短期間の場合や不定期に生じる支払い、出来高払いなどの各種支払いにおいても共通する問題であった。
【特許文献１】特開２００３−１５７３４４号
【発明の開示】
【発明が解決しようとする課題】
【０００３】
この発明は、上記事情に鑑みて創案されたものであって、その主たる課題は、カード会社が発行するキャッシング機能を有するカードを用いることで、受給者や日払い契約の従業員にとっては与信調査を要せずＡＴＭを利用して、即日に受給額を現金化することができると共に、給付者や事業主は、受給者への受給額を一定期間まとめて上記カード会社に支払う支払い管理システムを提供することにある。
【課題を解決するための手段】
【０００４】
上記課題を達成するために、請求項１の発明では、
識別コードを記録したカード所持者の受給額を計算し、前記カードにキャッシング用の与信機能を持たせるカード会社に前記受給額と識別コードのデータとを送信し、
受信された受給額のデータは、前記識別コードに対応するカードのキャッシング用の与信枠として新規に設定され、または既設の与信枠に加算されて与信枠を拡大して、オンライン接続されたＡＴＭなどの自動現金支払機で前記カードを用いて引き出し可能となり、
前記受給額のデータは集計されてカード会社から給付者への貸付額データとして処理される、という技術的手段を講じている。
また、請求項２の発明では、
識別コードを記録したカード所持者の出退勤時刻から１日の勤務時間を算出すると共に、前記カード所持者の単位賃金に基づいて１日分の日払い給与額を計算し、前記カードにキャッシング用の与信機能を持たせるカード会社に前記日払い給与額と識別コードのデータとを送信し、
受信された日払い給与額のデータは、前記識別コードに対応するカードのキャッシング用の与信枠として新規に設定され、または既設の与信枠に加算されて与信枠を拡大して、オンライン接続されたＡＴＭなどの自動現金支払機で前記カードを用いて引き出し可能となり、
前記給与支払額のデータは集計されてカード会社から給付者への貸付額データとして処理される、という技術的手段を講じている。
請求項３の発明では、
識別コードを記録したカードと、給付者側に備えられて前記カードにより給付額の管理を行う給付管理装置と、該給付管理装置と接続されて前記カードにキャッシング用の与信枠を与えてオンライン接続されたＡＴＭなどの自動現金支払機で引き出し可能とするカード会社のカード管理装置とからなっており、
前記給付管理装置が、カード認証部と、カード所持者の給付額を計算する給付計算部と、計算された給付額のデータと前記カードの識別コードとをカード管理装置に送信する送信手段とを備えており、
カード管理装置が、受信した給付額のデータと識別コードを基に、該識別コードに対応するカードに給付額のデータに相当する金額のキャッシング用与信枠を設定または加算により拡大して、カード所持者が給付額をＡＴＭなどの自動現金支払機で引き出し可能とし、
前記給付額のデータは集計されてカード会社から給付者への貸付額データとして処理される、という技術的手段を講じている。
更に、請求項４の発明では、
識別コードを記録したカードと、事業所側に備えられて前記カードにより出退勤の管理を行う勤怠管理装置と、該勤怠管理装置と接続されて前記カードにキャッシング用の与信枠を与えてオンライン接続されたＡＴＭなどの自動現金支払機で引き出し可能とするカード会社のカード管理装置とからなっており、
前記勤怠管理装置が、カード認証部と、カード所持者の出退勤時刻からカード所持者の単位賃金に基づいて１日分の給与支払額を計算する給与計算部と、計算された給与支払額のデータと前記カードの識別コードとをカード管理装置に送信する送信手段とを備えており、
カード管理装置が、受信した給与支払額のデータと識別コードを基に、該識別コードに対応するカードに給与支払額のデータに相当する金額のキャッシング用与信枠を設定または加算により拡大して、カード所持者が給与支払額をＡＴＭなどの自動現金支払機で引き出し可能とし、
前記給与支払額のデータは集計されてカード会社から給付者への貸付額データとして処理される、という技術的手段を講じている。
【発明の効果】
【０００５】
カード会社が発行するキャッシング機能を有するカードを用いることで、受給者や従業員にとっては与信調査を要せずＡＴＭなどの自動現金支払機を利用して、受給額や当日の給与を現金化することができると共に、給付者や事業主にとっては、給付額や日払い給与額をまとめて上記カード会社に支払うことができる。
カード会社は受給者や従業員などのカード所持者によるキャッシングに対しては、現金支払い手数料を請求し、給付者や事業主に対しては、貸付額としてクレジット条件に基づいた利息を含めて合計額を請求することができる。
【発明を実施するための最良の形態】
【０００６】
受給者や従業員のカードにキャッシング機能を持たせ、受給額や日払い給与額に応じた与信枠を設定することで、給付者や事業者は日々の現金の準備と取扱事務を省略し、支払い額相当分は貸付額として所定の支払いサイトで処理することで実現した。
【実施例１】
【０００７】
図１は、支払い管理システム１の概略図である。
給付者（事業者）とカード会社は、個別の受給者（従業員）に対して、識別コードを付与したキャッシング機能付きカード２を発行する。
この発行に際して、給付者（事業者）とカード会社とは、予めクレジット契約を結んでおき、給付者（事業者）から通知のあった識別コードのカード２に、通知のあった金額をキャッシング用の与信枠として設定し、この設定された与信枠の金額は全て給付者（事業者）がカード会社のクレジット契約に従って支払う内容となっている。
【０００８】
そして、給付者（事業者）側では、識別コードを記録したカード２に基づいて、カード所持者の受給額を計算し、識別コードと前記受給額のデータとをコンピュータネットワークＮ１を介して、前記カード２にキャッシング用の与信機能を持たせるカード会社に送信する。
カード会社では、受信された受給額のデータに相当する金額を、前記識別コードに対応するカード２のキャッシング用の与信枠として新規に設定し、または既設の与信枠に加算して与信枠を拡大する処理を行うので、オンライン接続（Ｎ２）されたＡＴＭなどの自動現金支払機２０で前記カード２を用いて現金を引き出すことがリアルタイムで可能となる。
これと同時に、前記受給額のデータは集計されてカード会社から給付者（事業者）への貸付額データとして処理されるので、給付者（事業者）は、予め定められた条件やサイト（リボルビング払いや一括または分割払いなど）に従って貸付額をカード会社に支払う。
【０００９】
図２は、上記システムに基づいた日払い給与の支払い管理システム１の実施例を示すブロック図である。
この支払い管理システム１では、識別コード２ａを記録したカード２と、事業所に備えられて前記カード２により出退勤の管理を行う勤怠管理装置３と、該勤怠管理装置３と接続されたカード管理装置１０と、該カード管理装置１０とオンライン接続されたＡＴＭなどの自動現金支払機２０とから構成されている。
【００１０】
［カード］
カード２は、本実施例の場合に、事業主と信販系カード会社とが発行する従業員証を兼ねるキャッシング機能付きのカードであって、従業員コードとカードの識別番号とが個々に、または兼用して一体に識別コード２ａとして記録されている。
【００１１】
［勤怠管理装置］
勤怠管理装置３は、カード読取機４が接続された事業者側のコンピュータであって、カード認証部５と、出退勤時刻管理部６と、給与計算部７と、給与データーベース８とからなっている。
カード認証部５は、カード読取機４が読み取ったカード２の識別コード２ａの認証を行い、カード所持者の従業員コードを特定する。
【００１２】
出退勤時刻管理部６は、カード２がカード読取機４に挿入された時刻を記録するもので、出勤時刻と退勤時刻、およびその間の一時退出時刻、再入時刻などのデータを記録して１日の勤務時間を算出する公知のタイムレーコーダ構成からなっている。
ここで出退勤時刻管理部６は、上記実施例に限らず、例えば出勤時刻だけをカード２のメモリＭに書き込んでおき、退勤時に挿入されたカード２の現在時刻を基に上記カード２に記録された当日の出勤時刻を読み込んで１日の勤務時間を算出し、算出後に前記当日の出勤時刻を消去する構成、あるいはカード２のメモリＭに日付と共に出退勤時刻を時系列に記録するなど、要するに各従業員の日にち毎の勤務時刻を算出する構成を適宜用いることができる。
【００１３】
このようにして得られた識別コード（従業員コード）２ａと勤務時間データは、給与計算部７によって日払い給与額が算出される。
即ち、給与データーベース８には、従業員（又はランク）毎の単位賃金データが記録されており、前記従業員コードを基に単位賃金が決定され、勤務時間データに応じて、その日の日払い給与額が計算される。
この従業員コードと日払い給与額のデータは、前記給与データーベース８に記録されると共に、１日分の日払い給与額の合計が会計処理部９でカード会社からの貸付額として処理される。
【００１４】
前記識別コード２ａと日払い給与額のデータは直ちにインターネットなどのコンピュータネットワークＮ１を介してカード会社のコンピュータからなるカード管理装置１０に送信される。
カード管理装置１０では、与信処理部１１で該当する識別コード２ａに対応するカード２に、日払い給与額のデータに対応したキャッシング与信枠を設定し、カード管理データベース１５に記録する。
与信枠が既にある場合には、その枠を日払い給与額のデータに対応した分だけ加算して拡大する処理を行う。
【００１５】
この処理により、上記カード管理装置１０に特定回線やイントラネットなどの通信ネットワークＮ２で接続されたＣＤやＡＴＭなどの自動現金支払機２０でのキャッシングがリアルタイムで可能となる。
従って、日払い給与額は日次処理されるので、日払い契約の従業員は、終業後であっても、各地にあるＣＤやＡＴＭなどの自動現金支払機２０で日払い給与額を引き出すことが可能となる。
この際に、カード会社は、現金引出しに伴う手数料のみをカード利用者から徴収しうる。
【００１６】
また、カード管理装置１０では、上記与信処理と同時に、これに対応して、貸付処理部１２で日払い給与額のデータを送信元の事業主への確定された貸付け額として、カード管理データベース１５に記録され、また事業主側の会計処理部９へフィードバックされて、送信された識別コードおよび給与支払い額データと照合する。
そして、事業主は、日払い給与額データを集計する月次処理により、これに対応した実際の貸付額をカード会社に支払って清算処理する。
【００１７】
上記構成からなっているので、この発明では、従業員は、従業員証を兼ねるキャッシング機能付きのカードを用いて、信用調査の必要なく、日払い給与額を確実に現金化することができる。
事業主は、現金を準備することなく、日払い給与の処理を行うことができ、その給与額はカード会社からの貸付金として、カード会社の支払いサイトに合わせて例えば月単位で支払うことができるので、事業主の入金時期と支払い時期を合わせることが可能となり、キャッシュフローを健全化することができる。
カード会社は、従業員によるキャッシングには、キャッシングの手数料を請求することができ、事業主に対しては貸付による利息を含めた手数料を請求することができる。
【００１８】
上記実施例では、事業主の処理を勤怠管理装置３で行い、カード会社の処理をカード管理装置１０で行ったが、これは１つの装置、またはコンピュータで構成されている必要はなく、複数のコンピュータで構成されているものであってもよい。
また、上記実施例では日払い給与について説明したが、１日以上のまとめ払いや、月締めでない出来高払いの支払い、その他、給与に限らず不定期な支払いについても広く適用することができる。
【００１９】
図３の支払い管理システム１’は、例えば、出来高払い契約の受給者に対する現金給付の場合である。
この場合、前記実施例の勤怠管理装置３に代えて給付管理装置３’が設けられている。
この給付管理装置３’では、出退勤時刻管理部６が省略され、カード認証部５と給付計算部７’が設けられており、給付額の基礎となる仕事の種類や時間または出来高などについてのデータは別のデータ処理部や入力手段から入力されるようになっている。
【００２０】
そして、このようにして入力された仕事の種類や時間または出来高などのデータに基づいて給付データベース８’から単位給付額が呼び出されて、出来高データに応じた給付額が算出される。
あるいは、カード２の識別コード２ａを読み取って、給付データベース８’からカード所持者（受給者）の経験度に応じた単位給付額を呼び出し、これに基づいて、時間や出来高データに対応した給付額を算出するようにしてもよい。
【００２１】
そして、このように算出された給付額は、識別コード２ａや日付と共に、給付データベース８’に記録される。
また、これと同時に識別コード２ａや給付額のデータは、カード管理装置１０にインターネットなどのコンピュータネットワークＮ１を介するなどして送信される。
カード管理装置１０におけるその後の構成は前記実施例と同様であるので、同一構成には同一の符号を付してその説明を省略する。
【００２２】
このようにして、給付者は、月次処理以外に生じる現金給付に対して、現金を用意することなく対応することができ、キャッシュフローに影響を与えることもない。
その他、要するにこの発明の要旨を変更しない範囲で種々設計変更しうること勿論である。
【図面の簡単な説明】
【００２３】
【図１】支払い管理システムの概要図である。
【図２】日払い給与の支払い管理システムのブロック図である。
【図３】支払い管理システムの異なる実施例のブロック図である。
【符号の説明】
【００２４】
１    支払い管理システム
２    カード
２ａ  識別コード
３    勤怠管理装置
４    カード読取機
５    カード認証部
６    出退勤時刻管理部
７    給与計算部
８    給与データーベース
９    会計処理部
１０    カード管理装置
１１    与信処理部
１２    会計処理部
１５    カード管理データーベース
２０    自動現金支払機
【図１】
2005122666.tif 000003
【図２】
2005122666.tif 000004
【図３】
2005122666.tif 000005
【手続補正書】
【提出日】平成15年10月22日(2003.10.22)
【手続補正１】
【補正対象書類名】明細書
【補正対象項目名】全文
【補正方法】変更
【補正の内容】
【発明の詳細な説明】
【技術分野】
【０００１】
本発明は、キャッシング機能を有するカードを利用した短期または不定期に発生する支払いや日払い給与などの支払い管理システムに関する。
【背景技術】
【０００２】
日払い契約の従業員に、１日毎に現金で給与を支払うためには、事業主（企業）は常に現金を準備する必要があると共に支払い事務が必要となる煩わしさがあり、多数の日払い従業員が従事する場合には、キャッシュフローにマイナスの影響を与える虞れがあった。
そこで、例えば、特開２００３−１５７３４４号の勤怠管理装置では、電子マネー機能を備えたＩＣカードに従業員証機能等のＩＤ機能を持たせたカードを用いて、出退勤の管理とともに給与の日払いを電子マネーによって行なえるようにした構成が開示されている。
しかし、この種のＩＣカードを用いて現金を引き出すには専用の支払機を利用する必要があり、設置場所が限られると共に、終業時間後にも使用することは困難であった。
また、この場合も、事業主は、日払い給与分の額を日々清算する必要があった。
一方、信販系会社の発行するキャッシング機能を有するカードでは、各地に多数の現金自動支払機（ＡＴＭ）が設置されており、終業時間後も比較的自由に現金化することができるが、上記カードは与信枠を設定する必要があり、誰でも自由に使用することはできなかった。
上記問題は、日払い給与の支払いや、１日以上の短期間の場合や不定期に生じる支払い、出来高払いなどの各種支払いにおいても共通する問題であった。
【特許文献１】特開２００３−１５７３４４号
【発明の開示】
【発明が解決しようとする課題】
【０００３】
この発明は、上記事情に鑑みて創案されたものであって、その主たる課題は、カード会社が発行するキャッシング機能を有するカードを用いることで、受給者や日払い契約の従業員にとっては与信調査を要せずＡＴＭを利用して、即日に受給額を現金化することができると共に、給付者や事業主は、受給者への受給額を一定期間まとめて上記カード会社に支払う支払い管理システムを提供することにある。
【課題を解決するための手段】
【０００４】
上記課題を達成するために、請求項１の発明では、
識別コードを記録したカード所持者の受給額を計算し、前記カードにキャッシング用の与信機能を持たせるカード会社に前記受給額と識別コードのデータとを送信し、
受信された受給額のデータは、前記識別コードに対応するカードのキャッシング用の与信枠として新規に設定され、または既設の与信枠に加算されて与信枠を拡大して、オンライン接続されたＡＴＭなどの自動現金支払機で前記カードを用いて引き出し可能となり、
前記受給額のデータは集計されてカード会社から給付者への貸付額データとして処理される、という技術的手段を講じている。
また、請求項２の発明では、
識別コードを記録したカード所持者の出退勤時刻から１日の勤務時間を算出すると共に、前記カード所持者の単位賃金に基づいて１日分の日払い給与額を計算し、前記カードにキャッシング用の与信機能を持たせるカード会社に前記日払い給与額と識別コードのデータとを送信し、
受信された日払い給与額のデータは、前記識別コードに対応するカードのキャッシング用の与信枠として新規に設定され、または既設の与信枠に加算されて与信枠を拡大して、オンライン接続されたＡＴＭなどの自動現金支払機で前記カードを用いて引き出し可能となり、
前記給与支払額のデータは集計されてカード会社から給付者への貸付額データとして処理される、という技術的手段を講じている。
請求項３の発明では、
識別コードを記録したカードと、給付者側に備えられて前記カードにより給付額の管理を行う給付管理装置と、該給付管理装置と接続されて前記カードにキャッシング用の与信枠を与えてオンライン接続されたＡＴＭなどの自動現金支払機で引き出し可能とするカード会社のカード管理装置とからなっており、
前記給付管理装置が、カード認証部と、カード所持者の給付額を計算する給付計算部と、計算された給付額のデータと前記カードの識別コードとをカード管理装置に送信する送信手段とを備えており、
カード管理装置が、受信した給付額のデータと識別コードを基に、該識別コードに対応するカードに給付額のデータに相当する金額のキャッシング用与信枠を設定または加算により拡大して、カード所持者が給付額をＡＴＭなどの自動現金支払機で引き出し可能とし、
前記給付額のデータは集計されてカード会社から給付者への貸付額データとして処理される、という技術的手段を講じている。
更に、請求項４の発明では、
識別コードを記録したカードと、事業所側に備えられて前記カードにより出退勤の管理を行う勤怠管理装置と、該勤怠管理装置と接続されて前記カードにキャッシング用の与信枠を与えてオンライン接続されたＡＴＭなどの自動現金支払機で引き出し可能とするカード会社のカード管理装置とからなっており、
前記勤怠管理装置が、カード認証部と、カード所持者の出退勤時刻からカード所持者の単位賃金に基づいて１日分の給与支払額を計算する給与計算部と、計算された給与支払額のデータと前記カードの識別コードとをカード管理装置に送信する送信手段とを備えており、
カード管理装置が、受信した給与支払額のデータと識別コードを基に、該識別コードに対応するカードに給与支払額のデータに相当する金額のキャッシング用与信枠を設定または加算により拡大して、カード所持者が給与支払額をＡＴＭなどの自動現金支払機で引き出し可能とし、
前記給与支払額のデータは集計されてカード会社から給付者への貸付額データとして処理される、という技術的手段を講じている。
【発明の効果】
【０００５】
カード会社が発行するキャッシング機能を有するカードを用いることで、受給者や従業員にとっては与信調査を要せずＡＴＭなどの自動現金支払機を利用して、受給額や当日の給与を現金化することができると共に、給付者や事業主にとっては、給付額や日払い給与額をまとめて上記カード会社に支払うことができる。
カード会社は受給者や従業員などのカード所持者によるキャッシングに対しては、現金支払い手数料を請求し、給付者や事業主に対しては、貸付額としてクレジット条件に基づいた利息を含めて合計額を請求することができる。
【発明を実施するための最良の形態】
【０００６】
受給者や従業員のカードにキャッシング機能を持たせ、受給額や日払い給与額に応じた与信枠を設定することで、給付者や事業者は日々の現金の準備と取扱事務を省略し、支払い額相当分は貸付額として所定の支払いサイトで処理することで実現した。
【実施例１】
【０００７】
図１は、支払い管理システム１の概略図である。
給付者（事業者）とカード会社は、個別の受給者（従業員）に対して、識別コードを付与したキャッシング機能付きカード２を発行する。
この発行に際して、給付者（事業者）とカード会社とは、予めクレジット契約を結んでおき、給付者（事業者）から通知のあった識別コードのカード２に、通知のあった金額をキャッシング用の与信枠として設定し、この設定された与信枠の金額は全て給付者（事業者）がカード会社のクレジット契約に従って支払う内容となっている。
【０００８】
そして、給付者（事業者）側では、識別コードを記録したカード２に基づいて、カード所持者の受給額を計算し、識別コードと前記受給額のデータとをコンピュータネットワークＮ１を介して、前記カード２にキャッシング用の与信機能を持たせるカード会社に送信する。
カード会社では、受信された受給額のデータに相当する金額を、前記識別コードに対応するカード２のキャッシング用の与信枠として新規に設定し、または既設の与信枠に加算して与信枠を拡大する処理を行うので、オンライン接続（Ｎ２）されたＡＴＭなどの自動現金支払機２０で前記カード２を用いて現金を引き出すことがリアルタイムで可能となる。
これと同時に、前記受給額のデータは集計されてカード会社から給付者（事業者）への貸付額データとして処理されるので、給付者（事業者）は、予め定められた条件やサイト（リボルビング払いや一括または分割払いなど）に従って貸付額をカード会社に支払う。
【０００９】
図２は、上記システムに基づいた日払い給与の支払い管理システム１の実施例を示すブロック図である。
この支払い管理システム１では、識別コード２ａを記録したカード２と、事業所に備えられて前記カード２により出退勤の管理を行う勤怠管理装置３と、該勤怠管理装置３と接続されたカード管理装置１０と、該カード管理装置１０とオンライン接続されたＡＴＭなどの自動現金支払機２０とから構成されている。
【００１０】
［カード］
カード２は、本実施例の場合に、事業主と信販系カード会社とが発行する従業員証を兼ねるキャッシング機能付きのカードであって、従業員コードとカードの識別番号とが個々に、または兼用して一体に識別コード２ａとして記録されている。
【００１１】
［勤怠管理装置］
勤怠管理装置３は、カード読取機４が接続された事業者側のコンピュータであって、カード認証部５と、出退勤時刻管理部６と、給与計算部７と、給与データーベース８とからなっている。
カード認証部５は、カード読取機４が読み取ったカード２の識別コード２ａの認証を行い、カード所持者の従業員コードを特定する。
【００１２】
出退勤時刻管理部６は、カード２がカード読取機４に挿入された時刻を記録するもので、出勤時刻と退勤時刻、およびその間の一時退出時刻、再入時刻などのデータを記録して１日の勤務時間を算出する公知のタイムレコーダー構成からなっている。
ここで出退勤時刻管理部６は、上記実施例に限らず、例えば出勤時刻だけをカード２のメモリＭに書き込んでおき、退勤時に挿入されたカード２の現在時刻を基に上記カード２に記録された当日の出勤時刻を読み込んで１日の勤務時間を算出し、算出後に前記当日の出勤時刻を消去する構成、あるいはカード２のメモリＭに日付と共に出退勤時刻を時系列に記録するなど、要するに各従業員の日にち毎の勤務時刻を算出する構成を適宜用いることができる。
【００１３】
このようにして得られた識別コード（従業員コード）２ａと勤務時間データは、給与計算部７によって日払い給与額が算出される。
即ち、給与データーベース８には、従業員（又はランク）毎の単位賃金データが記録されており、前記従業員コードを基に単位賃金が決定され、勤務時間データに応じて、その日の日払い給与額が計算される。
この従業員コードと日払い給与額のデータは、前記給与データーベース８に記録されると共に、１日分の日払い給与額の合計が会計処理部９でカード会社からの貸付額として処理される。
【００１４】
前記識別コード２ａと日払い給与額のデータは直ちにインターネットなどのコンピュータネットワークＮ１を介してカード会社のコンピュータからなるカード管理装置１０に送信される。
カード管理装置１０では、与信処理部１１で該当する識別コード２ａに対応するカード２に、日払い給与額のデータに対応したキャッシング与信枠を設定し、カード管理データーベース１５に記録する。
与信枠が既にある場合には、その枠を日払い給与額のデータに対応した分だけ加算して拡大する処理を行う。
【００１５】
この処理により、上記カード管理装置１０に特定回線やイントラネットなどの通信ネットワークＮ２で接続されたＣＤやＡＴＭなどの自動現金支払機２０でのキャッシングがリアルタイムで可能となる。
従って、日払い給与額は日次処理されるので、日払い契約の従業員は、終業後であっても、各地にあるＣＤやＡＴＭなどの自動現金支払機２０で日払い給与額を引き出すことが可能となる。
この際に、カード会社は、現金引出しに伴う手数料のみをカード利用者から徴収しうる。
【００１６】
また、カード管理装置１０では、上記与信処理と同時に、これに対応して、貸付処理部１２で日払い給与額のデータを送信元の事業主への確定された貸付け額として、カード管理データーベース１５に記録され、また事業主側の会計処理部９へフィードバックされて、送信された識別コードおよび給与支払い額データと照合する。
そして、事業主は、日払い給与額データを集計する月次処理により、これに対応した実際の貸付額をカード会社に支払って清算処理する。
【００１７】
上記構成からなっているので、この発明では、従業員は、従業員証を兼ねるキャッシング機能付きのカードを用いて、信用調査の必要なく、日払い給与額を確実に現金化することができる。
事業主は、現金を準備することなく、日払い給与の処理を行うことができ、その給与額はカード会社からの貸付金として、カード会社の支払いサイトに合わせて例えば月単位で支払うことができるので、事業主の入金時期と支払い時期を合わせることが可能となり、キャッシュフローを健全化することができる。
カード会社は、従業員によるキャッシングには、キャッシングの手数料を請求することができ、事業主に対しては貸付による利息を含めた手数料を請求することができる。
【００１８】
上記実施例では、事業主の処理を勤怠管理装置３で行い、カード会社の処理をカード管理装置１０で行ったが、これは１つの装置、またはコンピュータで構成されている必要はなく、複数のコンピュータで構成されているものであってもよい。
また、上記実施例では日払い給与について説明したが、１日以上のまとめ払いや、月締めでない出来高払いの支払い、その他、給与に限らず不定期な支払いについても広く適用することができる。
【００１９】
図３の支払い管理システム１’は、例えば、出来高払い契約の受給者に対する現金給付の場合である。
この場合、前記実施例の勤怠管理装置３に代えて給付管理装置３’が設けられている。
この給付管理装置３’では、出退勤時刻管理部６が省略され、カード認証部５と給付計算部７’が設けられており、給付額の基礎となる仕事の種類や時間または出来高などについてのデータは別のデータ処理部や入力手段から入力されるようになっている。
【００２０】
そして、このようにして入力された仕事の種類や時間または出来高などのデータに基づいて給付データーベース８’から単位給付額が呼び出されて、出来高データに応じた給付額が算出される。
あるいは、カード２の識別コード２ａを読み取って、給付データーベース８’からカード所持者（受給者）の経験度に応じた単位給付額を呼び出し、これに基づいて、時間や出来高データに対応した給付額を算出するようにしてもよい。
【００２１】
そして、このように算出された給付額は、識別コード２ａや日付と共に、給付データーベース８’に記録される。
また、これと同時に識別コード２ａや給付額のデータは、カード管理装置１０にインターネットなどのコンピュータネットワークＮ１を介するなどして送信される。
カード管理装置１０におけるその後の構成は前記実施例と同様であるので、同一構成には同一の符号を付してその説明を省略する。
【００２２】
このようにして、給付者は、月次処理以外に生じる現金給付に対して、現金を用意することなく対応することができ、キャッシュフローに影響を与えることもない。
その他、要するにこの発明の要旨を変更しない範囲で種々設計変更しうること勿論である。
【図面の簡単な説明】
【００２３】
【図１】支払い管理システムの概要図である。
【図２】日払い給与の支払い管理システムのブロック図である。
【図３】支払い管理システムの異なる実施例のブロック図である。
【符号の説明】
【００２４】
１    支払い管理システム
２    カード
２ａ  識別コード
３    勤怠管理装置
４    カード読取機
５    カード認証部
６    出退勤時刻管理部
７    給与計算部
８    給与データーベース
９    会計処理部
１０    カード管理装置
１１    与信処理部
１２    貸付処理部
１５    カード管理データーベース
２０    自動現金支払機
【手続補正２】
【補正対象書類名】図面
【補正対象項目名】図１
【補正方法】変更
【補正の内容】
【図１】
2005122666.tif 000006
【手続補正３】
【補正対象書類名】図面
【補正対象項目名】図３
【補正方法】変更
【補正の内容】
【図３】
2005122666.tif 000007
【手続補正書】
【提出日】平成16年7月26日(2004.7.26)
【手続補正１】
【補正対象書類名】特許請求の範囲
【補正対象項目名】全文
【補正方法】変更
【補正の内容】
【特許請求の範囲】
【請求項１】
受給者の識別コードを記録したキャッシング用のカードと、
給付者から支払われる前記受給者への給付額を計算する給付管理手段と、
該給付管理手段で計算された給付額のデータとこれに対応する識別コードとをコンピュータネットワークを介してカード会社のカード管理手段に送信する送信手段と、
受信した給付額データと識別コードを基に、前記カード管理手段に設けられたカード管理データベースに、識別コードに対応する前記カードのキャッシング用の与信枠として新規に記録し、または既設の与信枠に加算されて与信枠を拡大して記録する与信枠設定手段と、
上記与信枠として設定された前記給付額データを集計して給付者に対するカード会社の貸付額データとして前記カード管理データベースに記録する貸付設定手段と、
前記給付額のデータの合計とフィードバックされた貸付額データの合計とを照合して一致する場合に貸付額を確定する会計処理手段とからなっており、
前記カードは、オンライン接続されたＡＴＭなどの自動現金支払機で現金を引き出すことができることを特徴とする支払い管理システム。
【請求項２】
受給者の識別コードと出退勤時刻を記録したキャッシング用のカードと、
前記カードの出退勤時刻を基に１日の勤務時間を算出し、前記識別コードに対応する受給者の単位賃金から受給者の１日分の日払い給与額を計算する給付管理手段と、
該給付管理手段で計算された日払い給与額のデータとこれに対応する識別コードとをコンピュータネットワークを介してカード会社のカード管理手段に送信する送信手段と、
受信した日払い給与額データと識別コードを基に、前記カード管理手段に設けられたカード管理データベースに、識別コードに対応するカードのキャッシング用の与信枠として新規に記録し、または既設の与信枠に加算されて与信枠を拡大して記録する与信枠設定手段と、
上記与信枠として設定された前記日払い給与額のデータを集計して給付者に対するカード会社の貸付額データとして前記カード管理データベースに記録する貸付設定手段と、
前記日払い給与額のデータの合計とフィードバックされた貸付額データの合計とを照合して一致する場合に貸付額を確定する会計処理手段とからなっており、
前記カードは、オンライン接続されたＡＴＭなどの自動現金支払機で現金を引き出すことができることを特徴とする日払い給与の支払い管理システム。
【請求項３】
受給者の識別コードを記録したキャッシング用のカードと、給付者側に備えられて前記カードにより給付額の計算をする給付管理装置と、該給付管理装置とコンピュータネットワークを介して接続されて前記カードにキャッシング用の与信枠を設定するカード会社のカード管理装置とからなっており、
前記給付管理装置が、カード認証部と、カード所持者の給付額を計算する給付計算部と、計算された給付額のデータと前記カードの識別コードとをカード管理装置に送信する送信手段とを備えており、
受信した給付額のデータと識別コードを基に、前記カード管理装置に設けられたカード管理データベースに、識別コードに対応する前記カードのキャッシング用の与信枠として新規に記録し、または既設の与信枠に加算されて与信枠を拡大して記録する与信枠設定手段と、
上記与信枠設定手段で与信枠として設定された給付額データを集計して給付者に対するカード会社の貸付額データとして前記カード管理データベースに記録する貸付設定手段と、
前記給付額のデータの合計とフィードバックされた貸付額データの合計とを照合して一致する場合に貸付額を確定する会計処理部とからなっており、
前記カードは、オンライン接続されたＡＴＭなどの自動現金支払機で現金を引き出すことができることを特徴とする支払い管理装置。
【請求項４】
受給者の識別コードを記録したキャッシング用のカードと、事業所側に備えられて前記カードにより出退勤の管理を行う勤怠管理装置と、該勤怠管理装置とコンピュータネットワークを介して接続されて接続されて前記カードにキャッシング用の与信枠を設定するカード会社のカード管理装置とからなっており、
前記勤怠管理装置が、カード認証部と、カード所持者の出退勤時刻からカード所持者の単位賃金に基づいて１日分の給与支払額を計算する給与計算部と、計算された給与支払額のデータと前記カードの識別コードとをカード管理装置に送信する送信手段とを備えており、
受信した給与支払額のデータと識別コードを基に、前記カード管理装置に設けられたカード管理データベースに、識別コードに対応する前記カードのキャッシング用の与信枠として新規に記録し、または既設の与信枠に加算されて与信枠を拡大して記録する与信枠設定手段と、
上記与信枠設定手段で与信枠として設定された給与支払額のデータを集計して事業所に対するカード会社の貸付額データとして前記カード管理データベースに記録する貸付設定手段と、
前記日払い給与額のデータの合計とフィードバックされた貸付額のデータの合計とを照合して一致する場合に貸付額を確定する会計処理部とからなっており、
前記カードは、オンライン接続されたＡＴＭなどの自動現金支払機で現金を引き出すことができることを特徴とする支払い管理装置。
【手続補正２】
【補正対象書類名】明細書
【補正対象項目名】全文
【補正方法】変更
【補正の内容】
【発明の詳細な説明】
【技術分野】
【０００１】
本発明は、キャッシング機能を有するカードを利用した短期または不定期に発生する支払いや日払い給与などの支払い管理システムおよびその装置に関する。
【背景技術】
【０００２】
日払い契約の従業員に、１日毎に現金で給与を支払うためには、事業主（企業）は常に現金を準備する必要があると共に支払い事務が必要となる煩わしさがあり、多数の日払い従業員が従事する場合には、キャッシュフローにマイナスの影響を与える虞れがあった。
そこで、例えば、特開２００３−１５７３４４号の勤怠管理装置では、電子マネー機能を備えたＩＣカードに従業員証機能等のＩＤ機能を持たせたカードを用いて、出退勤の管理とともに給与の日払いを電子マネーによって行なえるようにした構成が開示されている。
しかし、この種のＩＣカードを用いて現金を引き出すには専用の支払機を利用する必要があり、設置場所が限られると共に、終業時間後にも使用することは困難であった。
また、この場合も、事業主は、日払い給与分の額を日々清算する必要があった。
一方、信販系会社の発行するキャッシング機能を有するカードでは、各地に多数の現金自動支払機（ＡＴＭ）が設置されており、終業時間後も比較的自由に現金化することができるが、上記カードは与信枠を設定する必要があり、誰でも自由に使用することはできなかった。
上記問題は、日払い給与の支払いや、１日以上の短期間の場合や不定期に生じる支払い、出来高払いなどの各種支払いにおいても共通する問題であった。
【特許文献１】特開２００３−１５７３４４号
【発明の開示】
【発明が解決しようとする課題】
【０００３】
この発明は、上記事情に鑑みて創案されたものであって、その主たる課題は、カード会社が発行するキャッシング機能を有するカードを用いることで、受給者や日払い契約の従業員にとっては与信調査を要せずＡＴＭを利用して、即日に給付額を現金化することができると共に、給付者や事業主は、受給者への給付額を一定期間まとめて上記カード会社に支払う支払い管理システムおよびその装置を提供することにある。
【課題を解決するための手段】
【０００４】
上記課題を達成するために、請求項１の支払い管理システムの発明では、
受給者の識別コードを記録したキャッシング用のカードと、
給付者から支払われる前記受給者への給付額を計算する給付管理手段と、
該給付管理手段で計算された給付額のデータとこれに対応する識別コードとをコンピュータネットワークを介してカード会社のカード管理手段に送信する送信手段と、
受信した給付額データと識別コードを基に、前記カード管理手段に設けられたカード管理データベースに、識別コードに対応する前記カードのキャッシング用の与信枠として新規に記録し、または既設の与信枠に加算されて与信枠を拡大して記録する与信枠設定手段と、
上記与信枠として設定された前記給付額データを集計して給付者に対するカード会社の貸付額データとして前記カード管理データベースに記録する貸付設定手段と、
前記給付額のデータの合計とフィードバックされた貸付額データの合計とを照合して一致する場合に貸付額を確定する会計処理手段とからなっており、
前記カードは、オンライン接続されたＡＴＭなどの自動現金支払機で現金を引き出すことができることを特徴とする。
また、請求項２の日払い給与の支払い管理システムの発明では、
受給者の識別コードと出退勤時刻を記録したキャッシング用のカードと、
前記カードの出退勤時刻を基に１日の勤務時間を算出し、前記識別コードに対応する受給者の単位賃金から受給者の１日分の日払い給与額を計算する給付管理手段と、
該給付管理手段で計算された日払い給与額のデータとこれに対応する識別コードとをコンピュータネットワークを介してカード会社のカード管理手段に送信する送信手段と、
受信した日払い給与額データと識別コードを基に、前記カード管理手段に設けられたカード管理データベースに、識別コードに対応するカードのキャッシング用の与信枠として新規に記録し、または既設の与信枠に加算されて与信枠を拡大して記録する与信枠設定手段と、
上記与信枠として設定された前記日払い給与額のデータを集計して給付者に対するカード会社の貸付額データとして前記カード管理データベースに記録する貸付設定手段と、
前記日払い給与額のデータの合計とフィードバックされた貸付額データの合計とを照合して一致する場合に貸付額を確定する会計処理手段とからなっており、
前記カードは、オンライン接続されたＡＴＭなどの自動現金支払機で現金を引き出すことができることを特徴とする。
請求項３の支払い管理装置の発明では、
受給者の識別コードを記録したキャッシング用のカードと、給付者側に備えられて前記カードにより給付額の計算をする給付管理装置と、該給付管理装置とコンピュータネットワークを介して接続されて前記カードにキャッシング用の与信枠を設定するカード会社のカード管理装置とからなっており、
前記給付管理装置が、カード認証部と、カード所持者の給付額を計算する給付計算部と、計算された給付額のデータと前記カードの識別コードとをカード管理装置に送信する送信手段とを備えており、
受信した給付額のデータと識別コードを基に、前記カード管理装置に設けられたカード管理データベースに、識別コードに対応する前記カードのキャッシング用の与信枠として新規に記録し、または既設の与信枠に加算されて与信枠を拡大して記録する与信枠設定手段と、
上記与信枠設定手段で与信枠として設定された給付額データを集計して給付者に対するカード会社の貸付額データとして前記カード管理データベースに記録する貸付設定手段と、
前記給付額のデータの合計とフィードバックされた貸付額データの合計とを照合して一致する場合に貸付額を確定する会計処理部とからなっており、
前記カードは、オンライン接続されたＡＴＭなどの自動現金支払機で現金を引き出すことができることを特徴とする。
更に、請求項４の支払い管理装置の発明では、
受給者の識別コードを記録したキャッシング用のカードと、事業所側に備えられて前記カードにより出退勤の管理を行う勤怠管理装置と、該勤怠管理装置とコンピュータネットワークを介して接続されて接続されて前記カードにキャッシング用の与信枠を設定するカード会社のカード管理装置とからなっており、
前記勤怠管理装置が、カード認証部と、カード所持者の出退勤時刻からカード所持者の単位賃金に基づいて１日分の給与支払額を計算する給与計算部と、計算された給与支払額のデータと前記カードの識別コードとをカード管理装置に送信する送信手段とを備えており、
受信した給与支払額のデータと識別コードを基に、前記カード管理装置に設けられたカード管理データベースに、識別コードに対応する前記カードのキャッシング用の与信枠として新規に記録し、または既設の与信枠に加算されて与信枠を拡大して記録する与信枠設定手段と、
上記与信枠設定手段で与信枠として設定された給与支払額のデータを集計して事業所に対するカード会社の貸付額データとして前記カード管理データベースに記録する貸付設定手段と、
前記給与支払額のデータの合計とフィードバックされた給与支払額のデータの合計とを照合して一致する場合に貸付額を確定する会計処理部とからなっており、
前記カードは、オンライン接続されたＡＴＭなどの自動現金支払機で現金を引き出すことができることを特徴とする。
【発明の効果】
【０００５】
カード会社が発行するキャッシング機能を有するカードを用いることで、受給者や従業員にとっては与信調査を要せずＡＴＭなどの自動現金支払機を利用して、給付額や当日の給与を現金化することができると共に、給付者や事業主にとっては、給付額や日払い給与額をまとめて上記カード会社に支払うことができる。
カード会社は受給者や従業員などのカード所持者によるキャッシングに対しては、現金支払い手数料を請求し、給付者や事業主に対しては、貸付額としてクレジット条件に基づいた利息を含めて合計額を請求することができる。
【発明を実施するための最良の形態】
【０００６】
受給者や従業員のカードにキャッシング機能を持たせ、給付額や日払い給与額に応じた与信枠を設定することで、給付者や事業者は日々の現金の準備と取扱事務を省略し、支払い額相当分は貸付額として所定の支払いサイトで処理することで実現した。
【実施例１】
【０００７】
図１は、支払い管理システム１の概念図である。
給付者（事業者）とカード会社は、個別の受給者（従業員）に対して、識別コードを付与したキャッシング機能付きカード２を発行する。
この発行に際して、給付者（事業者）とカード会社とは、予めクレジット契約を結んでおき、給付者（事業者）から通知のあった識別コードのカード２に、通知のあった金額をキャッシング用の与信枠として設定し、この設定された与信枠の金額は全て給付者（事業者）がカード会社のクレジット契約に従って支払う内容となっている。
【０００８】
そして、給付者（事業者）側では、識別コードを記録したカード２に基づいて、カード所持者の給付額を計算し、識別コードと前記給付額のデータとをコンピュータネットワークＮ１を介して、前記カード２にキャッシング用の与信機能を持たせるカード会社に送信する。
カード会社では、受信された給付額のデータに相当する金額を、前記識別コードに対応するカード２のキャッシング用の与信枠として新規に設定し、または既設の与信枠に加算して与信枠を拡大する処理を行うので、オンライン接続（Ｎ２）されたＡＴＭなどの自動現金支払機２０で前記カード２を用いて現金を引き出すことがリアルタイムで可能となる。
これと同時に、前記給付額のデータは集計されてカード会社から給付者（事業者）への貸付額データとして処理されるので、給付者（事業者）は、予め定められた条件やサイト（リボルビング払いや一括または分割払いなど）に従って貸付額をカード会社に支払う。
【０００９】
図２は、上記システムに基づいた日払い給与の支払い管理システム１の実施例を示すブロック図である。
この支払い管理システム１では、識別コード２ａを記録したカード２と、事業所に備えられて前記カード２により出退勤の管理を行う給付管理手段としての勤怠管理装置３と、該勤怠管理装置３とコンピュータネットワークＮ１を介して接続されたカード管理装置１０と、該カード管理装置１０とオンライン接続されたＡＴＭなどの自動現金支払機２０とから構成されている。
【００１０】
［カード］
カード２は、本実施例の場合に、事業主と信販系カード会社とが発行する従業員証を兼ねるキャッシング機能付きのカードであって、従業員コードとカードの識別番号とが個々に、または兼用して一体に識別コード２ａとして記録されている。
【００１１】
［勤怠管理装置］
勤怠管理装置３は、カード読取機４が接続された事業者側のコンピュータであって、カード認証部５と、出退勤時刻管理部６と、給与計算部７と、給与データベース８とからなっている。
カード認証部５は、カード読取機４が読み取ったカード２の識別コード２ａの認証を行い、カード所持者の従業員コードを特定する。
【００１２】
出退勤時刻管理部６は、カード２がカード読取機４に挿入された時刻を記録するもので、出勤時刻と退勤時刻、およびその間の一時退出時刻、再入時刻などのデータを記録して１日の勤務時間を算出する公知のタイムレーコーダ構成からなっている。
ここで出退勤時刻管理部６は、上記実施例に限らず、例えば出勤時刻だけをカード２のメモリＭに書き込んでおき、退勤時に挿入されたカード２の現在時刻を基に上記カード２に記録された当日の出勤時刻を読み込んで１日の勤務時間を算出し、算出後に前記当日の出勤時刻を消去する構成、あるいはカード２のメモリＭに日付と共に出退勤時刻を時系列に記録するなど、要するに各従業員の日にち毎の勤務時刻を算出する構成を適宜用いることができる。
【００１３】
このようにして得られた識別コード（従業員コード）２ａと勤務時間データは、給与計算部７によって日払い給与額が算出される。
即ち、給与データベース８には、従業員（又はランク）毎の単位賃金データが記録されており、前記従業員コードを基に単位賃金が決定され、勤務時間データに応じて、その日の日払い給与額が計算される。
この従業員コードと日払い給与額のデータは、前記給与データベース８に記録されると共に、１日分の日払い給与額の合計が会計処理手段としての会計処理部９でカード会社からの貸付額として処理される。
【００１４】
前記識別コード２ａと日払い給与額のデータは、送信手段によって直ちにインターネットなどのコンピュータネットワークＮ１を介してカード会社のコンピュータからなるカード管理装置１０に送信される。
カード管理装置１０では、与信枠設定手段としての与信処理部１１で該当する識別コード２ａに対応するカード２に、日払い給与額のデータに対応したキャッシング与信枠を設定し、カード管理データベース１５に記録する。
与信枠が既にある場合には、その枠を日払い給与額のデータに対応した分だけ加算して拡大する処理を行う。
【００１５】
この処理により、上記カード管理装置１０に特定回線やイントラネットなどの通信ネットワークＮ２で接続されたＣＤやＡＴＭなどの自動現金支払機２０でのキャッシングがリアルタイムで可能となる。
従って、日払い給与額は日次処理されるので、日払い契約の従業員は、終業後であっても、各地にあるＣＤやＡＴＭなどの自動現金支払機２０で日払い給与額を引き出すことが可能となる。
この際に、カード会社は、現金引出しに伴う手数料のみをカード利用者から徴収しうる。
【００１６】
また、カード管理装置１０では、上記与信処理と同時に、これに対応して、貸付設定手段となる貸付処理部１２で日払い給与額のデータを送信元の事業主への貸付け額として、カード管理データベース１５に記録され、また事業主側の会計処理部９へフィードバックされ、該会計処理部９では、照合手段によって前記貸付額を送信された識別コードおよび給与支払い額データと照合し、貸付額を確定する。
そして、事業主は、日払い給与額データを集計する月次処理により、これに対応した実際の貸付額をカード会社に支払って清算処理する。
【００１７】
上記構成からなっているので、この発明では、従業員は、従業員証を兼ねるキャッシング機能付きのカードを用いて、信用調査の必要なく、日払い給与額を確実に現金化することができる。
事業主は、現金を準備することなく、日払い給与の処理を行うことができ、その給与額はカード会社からの貸付金として、カード会社の支払いサイトに合わせて例えば月単位で支払うことができるので、事業主の入金時期と支払い時期を合わせることが可能となり、キャッシュフローを健全化することができる。
カード会社は、従業員によるキャッシングには、キャッシングの手数料を請求することができ、事業主に対しては貸付による利息を含めた手数料を請求することができる。
【００１８】
上記実施例では、事業主の処理を勤怠管理装置３で行い、カード会社の処理をカード管理装置１０で行ったが、これは１つの装置、またはコンピュータで構成されている必要はなく、複数のコンピュータで構成されているものであってもよい。
また、上記実施例では日払い給与について説明したが、１日以上のまとめ払いや、月締めでない出来高払いの支払い、その他、給与に限らず不定期な支払いについても広く適用することができる。
【００１９】
図３の支払い管理システム１’は、例えば、出来高払い契約の受給者に対する現金給付の場合である。
この場合、前記実施例の勤怠管理装置３に代えて給付管理装置３’が設けられている。
この給付管理装置３’では、出退勤時刻管理部６が省略され、カード認証部５と給付計算部７’が設けられており、給付額の基礎となる仕事の種類や時間または出来高などについてのデータは別のデータ処理部や入力手段から入力されるようになっている。
【００２０】
そして、このようにして入力された仕事の種類や時間または出来高などのデータに基づいて給付データベース８’から単位給付額が呼び出されて、出来高データに応じた給付額が算出される。
あるいは、カード２の識別コード２ａを読み取って、給付データベース８’からカード所持者（受給者）の経験度に応じた単位給付額を呼び出し、これに基づいて、時間や出来高データに対応した給付額を算出するようにしてもよい。
【００２１】
そして、このように算出された給付額は、識別コード２ａや日付と共に、給付データベース８’に記録される。
また、これと同時に識別コード２ａや給付額のデータは、カード管理装置１０にインターネットなどのコンピュータネットワークＮ１を介するなどして送信される。
カード管理装置１０におけるその後の構成は前記実施例と同様であるので、同一構成には同一の符号を付してその説明を省略する。
【００２２】
このようにして、給付者は、月次処理以外に生じる現金給付に対して、現金を用意することなく対応することができ、キャッシュフローに影響を与えることもない。
その他、要するにこの発明の要旨を変更しない範囲で種々設計変更しうること勿論である。
【図面の簡単な説明】
【００２３】
【図１】支払い管理システムの概要図である。
【図２】日払い給与の支払い管理システムのブロック図である。
【図３】支払い管理システムの異なる実施例のブロック図である。
【符号の説明】
【００２４】
１    支払い管理システム
２    カード
２ａ  識別コード
３    勤怠管理装置
４    カード読取機
５    カード認証部
６    出退勤時刻管理部
７    給与計算部
８    給与データベース
９    会計処理部
１０    カード管理装置
１１    与信処理部
１２    貸付処理部
１５    カード管理データベース
２０    自動現金支払機
【手続補正書】
【提出日】平成16年11月8日(2004.11.8)
【手続補正１】
【補正対象書類名】特許請求の範囲
【補正対象項目名】全文
【補正方法】変更
【補正の内容】
【特許請求の範囲】
【請求項１】
受給者の識別コードを記録したキャッシング用のカードと、給付者側に備えられて前記カードにより給付額の計算をする給付管理装置と、該給付管理装置とコンピュータネットワークを介して接続されて前記カードにキャッシング用の与信枠を設定するカード会社のカード管理装置とからなる支払い管理システムにおいて、
前記給付管理装置が、カード認証部と、カード所持者の給付額を計算する給付計算部と、計算された給付額データと前記カードの識別コードとをカード管理装置に送信する送信手段とを備えており、
前記カード管理装置が、前記受信した給付額データと識別コードを基に、前記カード管理装置に設けられたカード管理データベースに、前記識別コードに対応する前記カードに前記給付額データをキャッシング用の与信枠として新規に記録し、または既設の与信枠に前記給付額データを加算して与信枠を拡大して記録する与信枠設定手段と、
上記与信枠設定手段で与信枠として設定された同一給付者による前記各カードの給付額データを集計して前記給付者に対するカード会社の貸付額データとして前記カード管理データベースに記録する貸付設定手段とを有しており、
給付者側には、前記給付管理装置で算出された給付額データの合計と、カード管理装置からフィードバックされた貸付額データの合計とを照合して一致する場合に貸付額を確定する会計処理部を備えてなり、
前記カードは、オンライン接続されたＡＴＭなどの自動現金支払機で現金を引き出すことができることを特徴とする支払い管理システム。
【請求項２】
受給者の識別コードを記録したキャッシング用のカードと、事業所側に備えられて前記カードにより出退勤の管理を行う勤怠管理装置と、該勤怠管理装置とコンピュータネットワークを介して接続されて接続されて前記カードにキャッシング用の与信枠を設定するカード会社のカード管理装置とからなる支払い管理システムにおいて、
前記勤怠管理装置が、カード認証部と、カード所持者の出退勤時刻からカード所持者の単位賃金に基づいて１日分の給与支払額を計算する給与計算部と、計算された給与支払額のデータと前記カードの識別コードとをカード管理装置に送信する送信手段とを備えており、
前記カード管理装置が、受信した給与支払額のデータと識別コードを基に、前記カード管理装置に設けられたカード管理データベースに、識別コードに対応する前記カードに前記給付額データをキャッシング用の与信枠として新規に記録し、または既設の与信枠に前記給付額データを加算して与信枠を拡大して記録する与信枠設定手段と、
上記与信枠設定手段で与信枠として設定された同一給付者による前記各カードの給付額データを集計して前記給付者に対するカード会社の貸付額データとして前記カード管理データベースに記録する貸付設定手段とを有しており、
事業主側には、前記給付管理装置の給付計算部で算出された給付額データの合計と、カード管理装置からフィードバックされた貸付額データの合計とを照合して一致する場合に貸付額を確定する会計処理部を備えてなり、
前記カードは、オンライン接続されたＡＴＭなどの自動現金支払機で現金を引き出すことができることを特徴とする支払い管理システム。
【手続補正２】
【補正対象書類名】明細書
【補正対象項目名】全文
【補正方法】変更
【補正の内容】
【発明の詳細な説明】
【技術分野】
【０００１】
本発明は、キャッシング機能を有するカードを利用した短期または不定期に発生する支払いや日払い給与などの支払い管理システムに関する。
【背景技術】
【０００２】
日払い契約の従業員に、１日毎に現金で給与を支払うためには、事業主（企業）は常に現金を準備する必要があると共に支払い事務が必要となる煩わしさがあり、多数の日払い従業員が従事する場合には、キャッシュフローにマイナスの影響を与える虞れがあった。
そこで、例えば、特開２００３−１５７３４４号の勤怠管理装置では、電子マネー機能を備えたＩＣカードに従業員証機能等のＩＤ機能を持たせたカードを用いて、出退勤の管理とともに給与の日払いを電子マネーによって行なえるようにした構成が開示されている。
しかし、この種のＩＣカードを用いて現金を引き出すには専用の支払機を利用する必要があり、設置場所が限られると共に、終業時間後にも使用することは困難であった。
また、この場合も、事業主は、日払い給与分の額を日々清算する必要があった。
一方、信販系会社の発行するキャッシング機能を有するカードでは、各地に多数の現金自動支払機（ＡＴＭ）が設置されており、終業時間後も比較的自由に現金化することができるが、上記カードは与信枠を設定する必要があり、誰でも自由に使用することはできなかった。
上記問題は、日払い給与の支払いや、１日以上の短期間の場合や不定期に生じる支払い、出来高払いなどの各種支払いにおいても共通する問題であった。
【特許文献１】特開２００３−１５７３４４号
【発明の開示】
【発明が解決しようとする課題】
【０００３】
この発明は、上記事情に鑑みて創案されたものであって、その主たる課題は、カード会社が発行するキャッシング機能を有するカードを用いることで、受給者や日払い契約の従業員にとっては与信調査を要せずＡＴＭを利用して、即日に給付額を現金化することができると共に、給付者や事業主は、受給者への給付額を一定期間まとめて上記カード会社に支払う支払い管理システムを提供することにある。
【課題を解決するための手段】
【０００４】
上記課題を達成するために、請求項１の発明では、
受給者の識別コードを記録したキャッシング用のカードと、給付者側に備えられて前記カードにより給付額の計算をする給付管理装置と、該給付管理装置とコンピュータネットワークを介して接続されて前記カードにキャッシング用の与信枠を設定するカード会社のカード管理装置とからなる支払い管理システムにおいて、
前記給付管理装置が、カード認証部と、カード所持者の給付額を計算する給付計算部と、計算された給付額データと前記カードの識別コードとをカード管理装置に送信する送信手段とを備えており、
前記カード管理装置が、前記受信した給付額データと識別コードを基に、前記カード管理装置に設けられたカード管理データベースに、前記識別コードに対応する前記カードに前記給付額データをキャッシング用の与信枠として新規に記録し、または既設の与信枠に前記給付額データを加算して与信枠を拡大して記録する与信枠設定手段と、
上記与信枠設定手段で与信枠として設定された同一給付者による前記各カードの給付額データを集計して前記給付者に対するカード会社の貸付額データとして前記カード管理データベースに記録する貸付設定手段とを有しており、
給付者側には、前記給付管理装置で算出された給付額データの合計と、カード管理装置からフィードバックされた貸付額データの合計とを照合して一致する場合に貸付額を確定する会計処理部を備えてなり、
前記カードは、オンライン接続されたＡＴＭなどの自動現金支払機で現金を引き出すことができることを特徴とする。
また、請求項２の発明では、
受給者の識別コードを記録したキャッシング用のカードと、事業所側に備えられて前記カードにより出退勤の管理を行う勤怠管理装置と、該勤怠管理装置とコンピュータネットワークを介して接続されて接続されて前記カードにキャッシング用の与信枠を設定するカード会社のカード管理装置とからなる支払い管理システムにおいて、
前記勤怠管理装置が、カード認証部と、カード所持者の出退勤時刻からカード所持者の単位賃金に基づいて１日分の給与支払額を計算する給与計算部と、計算された給与支払額のデータと前記カードの識別コードとをカード管理装置に送信する送信手段とを備えており、
前記カード管理装置が、受信した給与支払額のデータと識別コードを基に、前記カード管理装置に設けられたカード管理データベースに、識別コードに対応する前記カードに前記給付額データをキャッシング用の与信枠として新規に記録し、または既設の与信枠に前記給付額データを加算して与信枠を拡大して記録する与信枠設定手段と、
上記与信枠設定手段で与信枠として設定された同一給付者による前記各カードの給付額データを集計して前記給付者に対するカード会社の貸付額データとして前記カード管理データベースに記録する貸付設定手段とを有しており、
事業主側には、前記給付管理装置の給付計算部で算出された給付額データの合計と、カード管理装置からフィードバックされた貸付額データの合計とを照合して一致する場合に貸付額を確定する会計処理部を備えてなり、
前記カードは、オンライン接続されたＡＴＭなどの自動現金支払機で現金を引き出すことができることを特徴とする。
【発明の効果】
【０００５】
この発明の支払い管理システムでは、カード会社が発行するキャッシング機能を有するカードを用いることで、受給者や従業員にとっては与信調査を要せずＡＴＭなどの自動現金支払機を利用して、給付額や当日の給与を現金化することができると共に、給付者や事業主にとっては、給付額や日払い給与額をまとめて上記カード会社に支払うことができる。
カード会社は受給者や従業員などのカード所持者によるキャッシングに対しては、現金支払い手数料を請求し、給付者や事業主に対しては、貸付額としてクレジット条件に基づいた利息を含めて合計額を請求することができる。
【発明を実施するための最良の形態】
【０００６】
受給者や従業員のカードにキャッシング機能を持たせ、給付額や日払い給与額に応じた与信枠を設定することで、給付者や事業者は日々の現金の準備と取扱事務を省略し、支払い額相当分は貸付額として所定の支払いサイトで処理することで実現した。
【実施例１】
【０００７】
図１は、支払い管理システム１の概念図である。
給付者（事業者）とカード会社は、個別の受給者（従業員）に対して、識別コードを付与したキャッシング機能付きカード２を発行する。
この発行に際して、給付者（事業者）とカード会社とは、予めクレジット契約を結んでおき、給付者（事業者）から通知のあった識別コードのカード２に、通知のあった金額をキャッシング用の与信枠として設定し、この設定された与信枠の金額は全て給付者（事業者）がカード会社のクレジット契約に従って支払う内容となっている。
【０００８】
そして、給付者（事業者）側では、識別コードを記録したカード２に基づいて、カード所持者の給付額を計算し、識別コードと前記給付額のデータとをコンピュータネットワークＮ１を介して、前記カード２にキャッシング用の与信機能を持たせるカード会社に送信する。
カード会社では、受信された給付額のデータに相当する金額を、前記識別コードに対応するカード２のキャッシング用の与信枠として新規に設定し、または既設の与信枠に加算して与信枠を拡大する処理を行うので、オンライン接続（Ｎ２）されたＡＴＭなどの自動現金支払機２０で前記カード２を用いて現金を引き出すことがリアルタイムで可能となる。
これと同時に、前記給付額のデータは集計されてカード会社から給付者（事業者）への貸付額データとして処理されるので、給付者（事業者）は、予め定められた条件やサイト（リボルビング払いや一括または分割払いなど）に従って貸付額をカード会社に支払う。
【０００９】
図２は、上記システムに基づいた日払い給与の支払い管理システム１の実施例を示すブロック図である。
この支払い管理システム１では、識別コード２ａを記録したカード２と、事業所に備えられて前記カード２により出退勤の管理を行う給付管理手段としての勤怠管理装置３と、該勤怠管理装置３とコンピュータネットワークＮ１を介して接続されたカード管理装置１０と、該カード管理装置１０とオンライン接続されたＡＴＭなどの自動現金支払機２０とから構成されている。
【００１０】
［カード］
カード２は、本実施例の場合に、事業主と信販系カード会社とが発行する従業員証を兼ねるキャッシング機能付きのカードであって、従業員コードとカードの識別番号とが個々に、または兼用して一体に識別コード２ａとして記録されている。
【００１１】
［勤怠管理装置］
勤怠管理装置３は、カード読取機４が接続された事業者側のコンピュータであって、カード認証部５と、出退勤時刻管理部６と、給与計算部７と、給与データベース８とからなっている。
カード認証部５は、カード読取機４が読み取ったカード２の識別コード２ａの認証を行い、カード所持者の従業員コードを特定する。
【００１２】
出退勤時刻管理部６は、カード２がカード読取機４に挿入された時刻を記録するもので、出勤時刻と退勤時刻、およびその間の一時退出時刻、再入時刻などのデータを記録して１日の勤務時間を算出する公知のタイムレーコーダ構成からなっている。
ここで出退勤時刻管理部６は、上記実施例に限らず、例えば出勤時刻だけをカード２のメモリＭに書き込んでおき、退勤時に挿入されたカード２の現在時刻を基に上記カード２に記録された当日の出勤時刻を読み込んで１日の勤務時間を算出し、算出後に前記当日の出勤時刻を消去する構成、あるいはカード２のメモリＭに日付と共に出退勤時刻を時系列に記録するなど、要するに各従業員の日にち毎の勤務時刻を算出する構成を適宜用いることができる。
【００１３】
このようにして得られた識別コード（従業員コード）２ａと勤務時間データは、給与計算部７によって日払い給与額が算出される。
即ち、給与データベース８には、従業員（又はランク）毎の単位賃金データが記録されており、前記従業員コードを基に単位賃金が決定され、勤務時間データに応じて、その日の日払い給与額が計算される。
この従業員コードと日払い給与額のデータは、前記給与データベース８に記録されると共に、１日分の日払い給与額の合計が会計処理手段としての会計処理部９でカード会社からの貸付額として処理される。
【００１４】
前記識別コード２ａと日払い給与額のデータは、送信手段によって直ちにインターネットなどのコンピュータネットワークＮ１を介してカード会社のコンピュータからなるカード管理装置１０に送信される。
カード管理装置１０では、与信枠設定手段としての与信処理部１１で該当する識別コード２ａに対応するカード２に、日払い給与額のデータに対応したキャッシング与信枠を設定し、カード管理データベース１５に記録する。
与信枠が既にある場合には、その枠を日払い給与額のデータに対応した分だけ加算して拡大する処理を行う。
【００１５】
この処理により、上記カード管理装置１０に特定回線やイントラネットなどの通信ネットワークＮ２で接続されたＣＤやＡＴＭなどの自動現金支払機２０でのキャッシングがリアルタイムで可能となる。
従って、日払い給与額は日次処理されるので、日払い契約の従業員は、終業後であっても、各地にあるＣＤやＡＴＭなどの自動現金支払機２０で日払い給与額を引き出すことが可能となる。
この際に、カード会社は、現金引出しに伴う手数料のみをカード利用者から徴収しうる。
【００１６】
また、カード管理装置１０では、上記与信処理と同時に、これに対応して、貸付設定手段となる貸付処理部１２で日払い給与額のデータを送信元の事業主への貸付け額として、カード管理データベース１５に記録され、また事業主側の会計処理部９へフィードバックされ、該会計処理部９では、照合手段によって前記貸付額を送信された識別コードおよび給与支払い額データと照合し、貸付額を確定する。
そして、事業主は、日払い給与額データを集計する月次処理により、これに対応した実際の貸付額をカード会社に支払って清算処理する。
【００１７】
上記構成からなっているので、この発明では、従業員は、従業員証を兼ねるキャッシング機能付きのカードを用いて、信用調査の必要なく、日払い給与額を確実に現金化することができる。
事業主は、現金を準備することなく、日払い給与の処理を行うことができ、その給与額はカード会社からの貸付金として、カード会社の支払いサイトに合わせて例えば月単位で支払うことができるので、事業主の入金時期と支払い時期を合わせることが可能となり、キャッシュフローを健全化することができる。
カード会社は、従業員によるキャッシングには、キャッシングの手数料を請求することができ、事業主に対しては貸付による利息を含めた手数料を請求することができる。
【００１８】
上記実施例では、事業主の処理を勤怠管理装置３で行い、カード会社の処理をカード管理装置１０で行ったが、これは１つの装置、またはコンピュータで構成されている必要はなく、複数のコンピュータで構成されているものであってもよい。
また、上記実施例では日払い給与について説明したが、１日以上のまとめ払いや、月締めでない出来高払いの支払い、その他、給与に限らず不定期な支払いについても広く適用することができる。
【００１９】
図３の支払い管理システム１’は、例えば、出来高払い契約の受給者に対する現金給付の場合である。
この場合、前記実施例の勤怠管理装置３に代えて給付管理装置３’が設けられている。
この給付管理装置３’では、出退勤時刻管理部６が省略され、カード認証部５と給付計算部７’が設けられており、給付額の基礎となる仕事の種類や時間または出来高などについてのデータは別のデータ処理部や入力手段から入力されるようになっている。
【００２０】
そして、このようにして入力された仕事の種類や時間または出来高などのデータに基づいて給付データベース８’から単位給付額が呼び出されて、出来高データに応じた給付額が算出される。
あるいは、カード２の識別コード２ａを読み取って、給付データベース８’からカード所持者（受給者）の経験度に応じた単位給付額を呼び出し、これに基づいて、時間や出来高データに対応した給付額を算出するようにしてもよい。
【００２１】
そして、このように算出された給付額は、識別コード２ａや日付と共に、給付データベース８’に記録される。
また、これと同時に識別コード２ａや給付額のデータは、カード管理装置１０にインターネットなどのコンピュータネットワークＮ１を介するなどして送信される。
カード管理装置１０におけるその後の構成は前記実施例と同様であるので、同一構成には同一の符号を付してその説明を省略する。
【００２２】
このようにして、給付者は、月次処理以外に生じる現金給付に対して、現金を用意することなく対応することができ、キャッシュフローに影響を与えることもない。
その他、要するにこの発明の要旨を変更しない範囲で種々設計変更しうること勿論である。
【図面の簡単な説明】
【００２３】
【図１】支払い管理システムの概要図である。
【図２】日払い給与の支払い管理システムのブロック図である。
【図３】支払い管理システムの異なる実施例のブロック図である。
【符号の説明】
【００２４】
１    支払い管理システム
２    カード
２ａ  識別コード
３    勤怠管理装置
４    カード読取機
５    カード認証部
６    出退勤時刻管理部
７    給与計算部
８    給与データベース
９    会計処理部
１０    カード管理装置
１１    与信処理部
１２    貸付処理部
１５    カード管理データベース
２０    自動現金支払機